(57)【特許請求の範囲】
【請求項１】
本体が設置面に設置された状態でレーザビームの走査面を俯角方向に傾斜させること，並びに前記走査面を９０°変化させることが可能に構成され、前記レーザビームを照射した反射光を受光することで、対象物までの距離及び角度を測定するレーザレーダ装置と、
このレーザレーダ装置による測定結果，並びに作業指示メッセージをユーザに対して報知し、且つ前記測定結果に基づく演算処理を実行するユーザインターフェイス手段とで構成され、
前記ユーザインターフェイス手段は、前記レーザレーダ装置における前記走査面を前記俯角方向に傾斜させる第１の作業の指示をユーザに対して報知し、
ユーザにより前記第１の作業を完了したことを示す応答があると、前記レーザレーダ装置に、前記レーザビームを基準角度０°から一方向に所定角度θ０で走査させて測定される距離ｌ０ａと、前記レーザビームを基準角度０°から反対方向に前記所定角度θ０で走査させて測定される距離ｌ０ｂとが等しくなるまで、前記走査面を傾斜させるように前記ユーザに対して報知を行い、
前記距離ｌ０ａ，ｌ０ｂが等しくなると、前記走査面を前記地面と直角にする第２の作業の指示をユーザに対して報知し、
ユーザにより前記第２の作業を完了したことを示す応答があると、前記レーザレーダ装置が走査した測定結果のうち、２点の走査角度θ１，θ２（θ１＞θ２）について測定された距離ｌ１，ｌ２に基づいて、前記レーザビームが基準角度０°にある状態で前記地面と平行になるまでの角度差θｘを算出し、
前記レーザレーダ装置の本体を、前記地面方向に前記角度差θｘだけ傾ける第３の作業の指示をユーザに対して報知し、
ユーザにより前記第３の作業を完了したことを示す応答があると、前記走査面を９０°回転させるようにユーザに対して報知することを特徴とするレーザレーダ装置の設置角度設定システム。
【請求項２】
前記ユーザインターフェイス手段は、前記所定角度θ０を４５°に設定し、前記距離ｌ０ａ，ｌ０ｂのうち、距離が短い方をｌ０１,距離が長い方をｌ０２とすると、目標距離角度θＡを次式により計算し、
θＡ＝ｔａｎ-1（ｌ０１／ｌ０２）
前記目標距離角度θＡについて前記レーザレーダ装置により測定される距離ｌ０ｘに、前記距離ｌ０ａ，ｌ０ｂを等しくするように、ユーザに報知することを特徴とする請求項１記載のレーザレーダ装置の設置角度設定システム。
【請求項３】
前記ユーザインターフェイス手段は、前記角度θ１と、前記地面と直角となる角度との差である角度αを、（１）式により算出し、
ｌ１・ｃｏｓα＝ｌ１・ｃｏｓ（α＋θ１−θ２）  …（１）
前記角度差θｘを、（２）式により算出することを特徴とする請求項１又は２記載のレーザレーダ装置の設置角度設定システム。
θｘ＝α＋θ１−９０°  …（２）
【請求項４】
前記ユーザインターフェイス手段は、前記レーザレーダ装置の本体を前記地面方向に前記角度差θｘだけ傾けるため、前記レーザビームの走査角度が、前記角度θ２と前記角度差θｘとの差を示す際に検出される距離が前記距離ｌ１となるように調整することをユーザに報知すること特徴とする請求項１ないし３の何れか一項に記載のレーザレーダ装置の設置角度設定システム。
【請求項５】
レーザビームを照射した反射光を受光することで、対象物までの距離及び角度を測定するレーザレーダ装置を、地面に立設する設置面に設置した状態で、前記レーザビームの走査面を前記地面と平行に設定する方法であって、
前記レーザレーダ装置として、前記設置面に設置された状態で、前記レーザビームの走査面を俯角方向に傾斜させること，並びに前記走査面を９０°変化させることが可能であるものを使用し、
このレーザレーダ装置による測定結果，及び作業指示メッセージをユーザに対して報知し、且つ前記測定結果に基づく演算処理を実行するユーザインターフェイス手段を用意し、
前記走査面を前記俯角方向に傾斜させるようにユーザに対して報知する第１ステップと、
前記走査面を前記俯角方向に傾斜させた状態で、前記レーザレーダ装置が、前記レーザビームを基準角度０°から一方向に所定角度θ０で走査して測定される距離ｌ０ａと、前記レーザビームを基準角度０°から反対方向に前記所定角度θ０で走査して測定される距離ｌ０ｂとが等しくなるまで、前記走査面を傾斜させるようにユーザに対して報知する第２ステップと、
前記距離ｌ０ａ，ｌ０ｂが等しくなると、前記走査面を前記地面と直角にするようにユーザに対して報知する第３ステップと、
前記走査面を前記地面と直角にした状態で、２つの走査角度θ１，θ２（θ１＞θ２）について、前記地面までの距離ｌ１，ｌ２をそれぞれ測定する第４ステップと、
前記測定結果に基づいて、前記レーザビームが基準角度０°にある状態で、前記地面と平行になるまでの角度差θｘを算出する第５ステップと、
前記レーザレーダ装置の本体を前記地面方向に前記角度差θｘだけ傾けるようにユーザに対して報知する第６ステップと、
前記レーザレーダ装置の本体を前記地面方向に前記角度差θｘだけ傾けた状態で、前記走査面を９０°回転させるようにユーザに対して報知する第７ステップとからなることを特徴とするレーザレーダ装置の設置角度設定方法。
【請求項６】
前記第２ステップにおいて、前記所定角度θ０を４５°に設定し、前記距離ｌ０ａ，ｌ０ｂのうち、距離が短い方をｌ０１,距離が長い方をｌ０２とすると、目標距離角度θＡを次式により計算し、
θＡ＝ｔａｎ-1（ｌ０１／ｌ０２）
前記目標距離角度θＡについて前記レーザレーダ装置により測定される距離ｌ０ｘに、前記距離ｌ０ａ，ｌ０ｂを等しくするように前記走査面を傾斜させることを特徴とする請求項５記載のレーザレーダ装置の設置角度設定方法。
【請求項７】
前記第５ステップにおいて、前記角度θ１と、前記地面と直角となる角度との差である角度αを、（１）式により算出し、
ｌ１・ｃｏｓα＝ｌ２・ｃｏｓ（α＋θ１−θ２）  …（１）
前記角度差θｘを、（２）式により算出することを特徴とする請求項５又は６記載のレーザレーダ装置の設置角度設定方法。
θｘ＝α＋θ１−９０°  …（２）
【請求項８】
前記第５ステップにおいて、前記レーザビームの走査角度が、前記角度θ２と前記角度差θｘとの差を示す際に検出される距離が前記距離ｌ２となるように調整することを特徴とする請求項５ないし７の何れか一項に記載のレーザレーダ装置の設置角度設定方法。
【発明の詳細な説明】
【技術分野】
【０００１】
本発明は、レーザレーダ装置におけるレーザビームの走査面を地面と平行に設定するシステム，及びレーザレーダ装置の設置角度設定方法に関する。
【背景技術】
【０００２】
図１２に示すように、レーザレーダ装置１は、地面２に立設する壁面３に設置され、レーザビームの走査面を監視する場所の地面２と平行になる状態で測定を行うのが一般的である。しかしながら、監視する場所の地面２は必ずしも水平面であるとは限らず、水準器を用いてレーザビームの走査面を水平にしても前記地面２とは平行にならない場合がある。そのため、現状では、図１３に示すように、例えば同じ高さｈ３の基準測定対象物４を複数設置して、レーザ走査によりそれらの対象物４が検出できるか確認しながらレーザレーダ装置４の設置角度を調整しており、設置作業が煩雑であるという問題がある。
【０００３】
特許文献１には、等間隔で平行な３つのレーザビームを用いて目標物までの位置を算出する技術が開示されている。
【特許文献１】特許第３６５９９５７号公報
【発明の概要】
【発明が解決しようとする課題】
【０００４】
特許文献１では、３つのレーザビームを壁面に当てることで計測される２つの距離ａ’，ａ’’が等しくなるように装置を傾けることで、壁面に対してレーザビームが垂直となるように調整することが開示されている。この技術では、壁面が地面に対して垂直である場合のみレーザビームを地面に対して平行にすることができるが、必ずしも壁面が地面に対して垂直であるとは限らないので、課題を解決するために適した技術であるとは言えない。
また、図１４に示すように（壁面３は柱状に図示している）、地面２は必ずしも１方向だけに傾斜しているとは限らず、２方向に傾斜している場合もあり、その場合には調整がより難しくなる。
【０００５】
本発明は、上記事情に鑑みてなされたもので、その目的は、レーザビームの走査面を、より簡単に地面と平行に設定できるレーザレーダ装置の設置角度設定システム及びレーザレーダ装置の設置角度設定方法を提供することにある。
【課題を解決するための手段】
【０００６】
請求項１記載のレーザレーダ装置の設置角度設定システムによれば、本体が設置面に設置された状態で、レーザビームの走査面を俯角方向に傾斜させること，並びに９０°変化させることが可能に構成されたレーザレーダ装置を用いる。そして、ユーザインターフェイス手段は、先ず、レーザレーダ装置の走査面を俯角方向に傾斜させる第１の作業の指示をユーザに対して報知し、ユーザにより前記第１の作業を完了したことを示す応答があると、レーザレーダ装置に、レーザビームを基準角度０°から一方向に所定角度θ０で走査させて測定される距離ｌ０ａと、レーザビームを基準角度０°から反対方向に前記所定角度θ０で走査させて測定される距離ｌ０ｂとが等しくなるまで、走査面を傾斜させるように前記ユーザに対して報知を行う。
【０００７】
そして、前記距離ｌ０ａ，ｌ０ｂが等しくなると、レーザレーダ装置におけるレーザビームの走査面を地面と直角にする第２の作業の指示をユーザに対して報知し、ユーザからの前記第２の作業を完了したことを示す応答があると、レーザレーダ装置が走査した測定結果のうち、２点の走査角度θ１，θ２について測定された距離ｌ１，ｌ２に基づいて、レーザビームが基準角度０°にある状態で前記地面と平行になるまでの角度差θｘを算出する。
それから、ユーザインターフェイス手段は、レーザレーダ装置の本体を、地面方向に角度差θｘだけ傾ける第３の作業の指示をユーザに対して報知し、ユーザからの前記第３の作業を完了したことを示す応答があると、レーザレーダ装置におけるレーザビームの走査面を９０°回転させるようにユーザに対して報知する。
【０００８】
すなわち、地面がレーザビームの走査角±９０度方向について傾いていれば、走査面を俯角方向に傾斜させた状態で測定した距離ｌ０ａ，ｌ０ｂは等しい長さにならない。したがって、距離ｌ０ａ，ｌ０ｂが等しくなるように走査面を傾斜させれば、走査面は走査角±９０度方向に対して平行になる。次に、走査面を９０°変化させて走査角度θ１，θ２について距離ｌ１，ｌ２を測定すれば、レーザビームが基準角度０°方向について地面と平行になるまでの角度差θｘを計算により求めることができ、角度差θｘが求められれば、レーザレーダ装置の本体を地面方向に角度差θｘだけ傾けてレーザビームの走査面を９０°回転させることで、走査面が基準角度０°方向についても地面と平行なる。従って、従来よりも調整作業を簡単にすることができる。
【０００９】
請求項２記載のレーザレーダ装置の設置角度設定システムによれば、ユーザインターフェイス手段は、前記所定角度θ０を４５°に設定し、前記距離ｌ０ａ，ｌ０ｂのうち、距離が短い方をｌ０１,距離が長い方をｌ０２とすると、目標距離角度θＡを次式により計算し、
θＡ＝ｔａｎ−１（ｌ０１／ｌ０２）
前記目標距離角度θＡについて前記レーザレーダ装置により測定される距離ｌ０ｘに、前記距離ｌ０ａ，ｌ０ｂを等しくするようにユーザに報知する。
【００１０】
すなわち、所定角度θ０が４５°の場合、地面に対して距離ｌ０２の走査線がなす角度が目標距離角度θＡであり、レーザビームの走査面を（４５°−θＡ）だけ傾ければ、走査面が走査角±９０度方向について地面と平行になる。この調整は、目標距離角度θＡについて測定された距離ｌ０ｘに、走査角４５°について測定される距離ｌ０ａ，ｌ０ｂが等しくなるように調整することに等しい。したがって、ユーザに対して具体的な目標値が提示されるので、ユーザは調整をより容易に行うことができる。
【００１１】
請求項３記載のレーザレーダ装置の設置角度設定システムによれば、ユーザインターフェイス手段は、角度θ１と地面と直角となる角度との差である角度αを（１）式により算出する。
ｌ１・ｃｏｓα＝ｌ２・ｃｏｓ（α＋θ１−θ２）  …（１）
すなわち、（１）式の両辺は、レーザレーダ装置におけるレーザビームの照射点から地面に下ろした垂線の長さを示している。そして、角度αを求めれば、基準角度におけるレーザビームが地面と平行になるまでの角度差θｘは、（２）式により算出できる。
【００１２】
θｘ＝α＋θ１−９０°  …（２）
請求項４記載のレーザレーダ装置の設置角度設定システムによれば、ユーザインターフェイス手段は、レーザレーダ装置の本体を地面方向に角度差θｘだけ傾けるため、レーザビームの走査角度が、角度θ２と角度差θｘとの差である角度（θ２−θｘ）を示す際に検出される距離が距離ｌ２となるように調整することをユーザに報知する。ユーザがそのように調整を行うことにより、レーザビームの走査面が地面と直角になっている状態で、基準角度におけるレーザビームが地面と平行になるように調整できる。
【図面の簡単な説明】
【００１３】
【図１】第１実施例であり、レーザレーダ装置の設置角度を調整する手順を説明する図（その１）
【図２】レーザレーダ装置の設置角度を調整する手順を説明する図（その２）
【図３】レーザレーダ装置を壁面に設置した状態の（ａ）平面図、（ｂ）側面図
【図４】調整手順を示すフローチャート
【図５】パソコンのディスプレイに表示されるユーザインターフェイス画面を示す図（その１）
【図６】同ユーザインターフェイス画面を示す図（その２）
【図７】同ユーザインターフェイス画面を示す図（その３）
【図８】第２実施例を示す図５相当図（その１）
【図９】図８相当図（その２）
【図１０】図８相当図（その３）
【図１１】走査面が走査角±９０°方向について地面と非平行の状態で測定された距離の一例を示す図
【図１２】従来技術を説明する図（その１）
【図１３】従来技術を説明する図（その２）
【図１４】従来技術を説明する図（その３）
【発明を実施するための形態】
【００１４】
（第１実施例）
以下、第１実施例について図１ないし図７を参照して説明する。また、図１２及び図１３と同一部分には同一符号を付して説明を省略する。図１（ａ），（ｂ）及び図３は、本実施例で使用するレーザレーダ装置１１の特徴的な構成を示すもので、図１（ａ），（ｂ）は側面図である。一般的なレーザレーダ装置１では、図１（ａ）に示しているように、レーザビームは水平方向に走査面が拡がるように出力される。レーザレーダ装置１１は、壁面（設置面）３に本体１１ａが設置された状態で、図１（ｂ）に示すように、走査面、すなわち出力部１１ｂが地面２に対して俯角方向に傾斜可能となるように構成されている。また、図３（ａ）は平面図、図３（ｂ）は図１と同様に側面図であり、レーザレーダ装置１１は、走査面が地面２に対して垂直となるように、出力部１１ｂが９０°回転可能に構成されている。
【００１５】
レーザレーダ装置１１には、パーソナルコンピュータ（パソコン，ユーザインターフェイス手段）１２が通信線１３を介して接続されており、両者は例えばシリアル通信インターフェイスを介して通信可能となっている。パソコン１２は、レーザレーダ装置１１を使用して計測を行う場合のユーザインターフェイスプログラムが搭載されており、ユーザの入力操作に応じてレーザレーダ装置１１に測定指示を出力したり、レーザレーダ装置１１による測定結果をディスプレイ１２Ｄに表示させる。また、ユーザに対して必要なメッセージをディスプレイ１２Ｄに表示したり、図示しないスピーカを介して音声で出力するなどして報知を行う。
【００１６】
次に、本実施例の作用、すなわち、レーザレーダ装置１１の設置角度を調整する手順について図１，図２，図４〜図７を参照して説明する。図１は、設置角度の調整手順を説明する図であり、図４は、同手順を示すフローチャートである。図１に示すように、壁面３が水平に対して垂直に立ち上がっているとして、地面２は水平面より俯角方向に傾斜しているとする。
【００１７】
ユーザは、レーザレーダ装置１１を監視したい場所の地面２に立設する壁面３に設置すると（Ｓ１）、次に、レーザレーダ装置１１の出力部１１ｂを、図１（ｂ）に示すように俯角方向に傾ける（Ｓ２）。それから、その状態でレーザレーダ装置１１に走査を実行させる（Ｓ３）。図１（ｃ）は、ステップＳ３で行われる走査の状態を正面から見た図である。すると、パソコン１２のディスプレイ１２Ｄには、図５に示すように測定結果（走査角度について測定された距離）がリストとして表示される。ここでは、走査角０．５°毎に測定された距離（ｍ）が表示されている。
【００１８】
ここで、ユーザは、特定の走査角度θ０（例えば±４５°とする。所定角度）について測定された距離ｌ０ａ,ｌ０ｂに着目し（Ｓ４，Ｓ５）、これらの距離ｌ０ａ,ｌ０ｂが等しくなるまで走査面，ここではレーザレーダ装置１１の本体１１ａを、走査角±９０°方向に傾けながら走査を繰り返し、距離ｌ０ａ,ｌ０ｂが等しくなった時点で、本体１１ａを傾斜させた状態のまま壁面３に固定する（図１（ｄ）参照，Ｓ６，第１ステップ）。図６は、走査角度±４５°で測定された距離ｌ０ａ,ｌ０ｂが何れも２．４０ｍで等しくなった状態を示している。これにより、図１（ｅ）に示すように、レーザレーダ装置１１の走査面は、当該装置１１を正面方向から見た場合に地面と平行となるように調整される。
【００１９】
次に、ユーザは、出力部１１ｂの俯角方向への傾きを元に戻してから、出力部１１ｂを、通常の使用方向に対して９０°回転させて、図２（ａ）に示す状態，すなわち、走査面が地面２と直角となるようにする（Ｓ７）。その状態で、レーザレーダ装置１１に地面２を走査させる。走査角は、レーザビームを正面方向に出力した状態を基準角度０°とし、その基準角度から、ここでは地面２に対する測定距離が短くなる方向をプラスとする。図２（ａ）はレーザビームによる走査の状態を示している。測定結果は図５と同様に、パソコン１２のディスプレイ１２Ｄにリストとして表示される（図７参照）。
【００２０】
ユーザは、上記測定結果を参照して適当な２ポイントを選択する。ここでは、図７（ａ）に示すｐ１「走査角１４．０°；距離５．７６ｍ」と、図７（ｂ）に示すｐ２「走査角１０．０°；距離９．５７ｍ」とを選択したものとする。ここで、ｐ１の走査角がθ１，測定距離がｌ１に対応し、ｐ２の走査角がθ２，測定距離がｌ２に対応する（Ｓ８，Ｓ９，第２ステップ）。
【００２１】
図２（ａ）に示すように、地面２に立つ垂線（レーザレーダ装置１１におけるレーザビームの照射点から地面に下ろした垂線）より距離ｌ１の走査線がなす角をαとし、基準角度におけるレーザビームが、地面２と平行になるまで俯角方向に調整する角度をθｘとする。すると、幾何学的関係より（１）式及び（２）式が成り立つ。
ｌ１・ｃｏｓα＝ｌ２・ｃｏｓ（α＋θ１−θ２）  …（１）
θｘ＝α＋θ１−９０°  …（２）
すなわち、（１）式の両辺は上記垂線の長さを示している。そして、角度αを求めれば、基準角度におけるレーザビームが地面２と平行になるまでの角度差θｘは、（２）式により算出できる。（１）式より、角度αは以下のように求められる。
ｌ１・ｃｏｓα／ｌ２＝ｃｏｓα・ｃｏｓ（θ１−θ２）
＋ｓｉｎα・ｓｉｎ（θ１−θ２）
ｌ１／ｌ２＝ｃｏｓ（θ１−θ２）＋ｔａｎα・ｓｉｎ（θ１−θ２）
ｔａｎα＝｛ｌ１／ｌ２−ｃｏｓ（θ１−θ２）｝／ｓｉｎ（θ１−θ２）
α＝ｔａｎ−１［｛ｌ１／ｌ２−ｃｏｓ（θ１−θ２）｝／ｓｉｎ（θ１−θ２）］
【００２２】
上述したｐ１，ｐ２の測定結果についてユーザが角度θｘを計算するとθｘ＝４°となる（Ｓ１０，第３ステップ）。図２（ｂ）に示すように、レーザレーダ装置１１の走査角が角度（θ２−θｘ）となったときに測定された距離がｌ２になれば、レーザビームの基準角度が地面２と平行になる。
θ２−θｘ＝１０°−４°＝６°
となるから、ユーザは、レーザレーダ装置１１の出力部１１ｂを、本体１１ａに対して俯角方向に傾けて、図７（ｃ）に示すように、走査角６°において測定される距離がｌ２＝９．５７ｍとなるように調整する（Ｓ１１）。そのように調整すれば、レーザビームの基準角度は地面２と平行になるので、その状態で、図２（ｃ）に示すように出力部１１ｂを９０°回転させれば（Ｓ１２，第４ステップ）レーザビームの走査面は地面２と平行になる。
【００２３】
以上のように本実施例によれば、レーザレーダ装置１１について、本体１１ａが壁面３に設置された状態でレーザビームの走査面を俯角方向に傾斜させること，並びに９０°変化させることが可能な構成を採用する。パソコン１２は、レーザレーダ装置１１の走査面を俯角方向に傾斜させるようにユーザに対して報知し、ユーザにより前記作業を完了したことを示す応答があると、レーザビームを基準角度０°から一方向に角度４５°で走査して測定される距離ｌ０ａと、レーザビームを基準角度０°から反対方向に角度４５°で走査して測定される距離ｌ０ｂとが等しくなるまで、走査面を傾斜させるようにユーザに対して報知を行う。
【００２４】
そして、前記距離ｌ０ａ，ｌ０ｂが等しくなると、レーザビームの走査面を地面２と直角にした状態で、２つの走査角度θ１，θ２について地面までの距離ｌ１，ｌ２をそれぞれ測定し、その測定結果に基づいて、レーザビームが基準角度０°にある状態で、地面２と平行になるまでの角度差θｘを算出する。そして、レーザレーダ装置１１の本体１１ａを地面２の方向に角度差θｘだけ傾けて、レーザビームの走査面を９０°回転させるようにした。
【００２５】
すなわち、地面がレーザビームの走査角±９０度方向について傾いていれば、走査面を俯角方向に傾斜させた状態で測定した距離ｌ０ａ，ｌ０ｂは等しい長さにならず、距離ｌ０ａ，ｌ０ｂが等しくなるように走査面を傾斜させれば、走査面は走査角±９０度方向に対して平行になる。次に、走査面を９０°変化させて走査角度θ１，θ２について距離ｌ１，ｌ２を測定すれば、レーザビームが基準角度から地面２と平行になるまでの角度差θｘを計算により求めることができ、角度差θｘが求められれば、レーザレーダ装置１１の本体１１ａを地面２の方向に角度差θｘだけ傾けてレーザビームの走査面を９０°回転させることで、レーザビームの走査面が地面２と平行なる。従って、従来よりも調整作業を簡単にすることができる。
【００２６】
そして、角度θ１と地面２と直角となる角度との差である角度αを（１）式により算出し、基準角度におけるレーザビームが地面２と平行になるまでの角度差θｘを（２）式により算出することができる。また、本体１１ａを地面２の方向に角度差θｘだけ傾けるため、レーザビームの走査角度が、角度θ２と角度差θｘとの差である角度（θ２−θｘ）を示す際に検出される距離が距離ｌ２となるように調整するので、レーザビームの走査面が地面２と直角になっている状態で、基準角度におけるレーザビームが地面２と平行になるように調整できる。
【００２７】
（第２実施例）
図８ないし図１１は第２実施例であり、第１実施例と同一部分には同一符号を付して説明を省略し、以下異なる部分について説明する。第２実施例は、第１実施例と同様の手順でレーザレーダ装置１１の設置角度を調整する場合に、パソコン１２が関与する度合をより高めてユーザの作業負担を軽減する例を示す。
【００２８】
図８ないし図１０は、図５ないし図７と同様にパソコン１２のディスプレイ１２Ｄに表示されるユーザインターフェイス画面の例である。先ず、パソコン１２は、図８（ａ）に示すように「レーザレーダを取り付けてください。」といった文字メッセージを表示させる。ユーザが、そのメッセージに従いレーザレーダ装置１１を壁面３に設置して（Ｓ１）、例えばジョイパッドやマウスなどのポインティングデバイスにより画面上の「次へ」をクリックする（作業完了応答）。
【００２９】
すると、次は図８（ｂ）に示すように「レーザレーダを俯角方向に傾けてください。」といった文字メッセージを表示させる。ユーザが、そのメッセージに従い出力部１１ｂを俯角方向に傾けてから（Ｓ２）画面上の「次へ」をクリックすると、次は図８（ｃ）に示すように「レーザ走査を開始してください。」といった文字メッセージを表示させる。ユーザが「次へ」をクリックすると、レーザレーダ装置１１による走査が開始され（Ｓ３）、測定結果が図８（ｄ）に示すように表示される。
【００３０】
ここで、第１実施例のように走査角度θ０を±４５°として、図１（ｃ）に示すようにｌ０ａ（ｌ０１）＜ｌ０ｂ（ｌ０２）である場合に、地面と走査角度−４５°の走査線とがなす角度をθＡ（目標距離角度）とする。このとき、
４５°＋θＡ＝９０°
となるように走査面を調整すれば、走査面が地面と平行になるから、走査面を傾ける角度，傾け角θＢとすると、
θＢ＝９０°−４５°−θＡ＝４５°−θＡ
となる。
【００３１】
角度θＡは、次式により算出できる。
θＡ＝ｔａｎ−１（ｌ０ａ／ｌ０ｂ）  …（３）
ここで、図１１に示すようにｌ０ａ＝２．０８ｍ，ｌ０ｂ＝２．９６ｍであれば、
θＡ＝ｔａｎ−１（２．０８／２．９６）＝３５［ｄｅｇ］
となるから、
θＢ＝４５°−３５°＝１０°
となる。
【００３２】
すなわち、現状で走査角度３５°について測定されている距離２．４０ｍ（距離ｌ０ｘ）に、走査角度±４５°での測定距離ｌ０ａ，ｌ０ｂが等しくなれば、走査面の角度を１０°傾けたことになる。そこで、パソコン１２は、例えば図９（ａ）に示すように「表示の角度にて表示の距離となるようにレーザレーダの取り付け角度を調整してください。」とのメッセージと共に、角度４５°における目標調整距離２．４０ｍを表示する。ユーザが調整を完了して「次へ」をクリックすると（以上がＳ４〜Ｓ６相当処理）、パソコン１２は、例えば図９（ｂ）に示すように「俯角方向の傾きを戻し、レーザ走査面に対して９０°レーザレーダを回転させてください。」とのメッセージを表示する（Ｓ７）。
【００３３】
続いてパソコン１２は、図９（ｃ），（ｄ）に示すように測定結果を表示するのに伴い、ユーザにθ１，θ２を選択させるためのメッセージを表示する。「θ１を入力してください。」，「θ２を入力してください。」等である。例えば、ユーザが図９（ｃ）よりθ１＝１５°を選択し、図９（ｄ）よりθ２＝１０°を選択してそれぞれの画面で「次へ」をクリックすると、パソコン１２は、それらの選択結果に応じて第１実施例と同様に、（１）式，（２）式に従い角度差θｘを計算し、角度（θ２−θｘ）を計算した結果を図１０（ａ）に示すように表示する。
【００３４】
この場合、角度（θ２−θｘ）＝６°であり、例えば「表示の角度（６°）にて表示の距離（ｌ２＝９．５７ｍ）になるようにレーザレーダの取り付け角度を調整してください」といったメッセージを表示する（Ｓ１１）。ユーザが、そのメッセージに従い出力部１１ｂの角度調整を行い「次へ」をクリックすると、パソコン１２は、図１０（ｂ）に示すように「レーザレーダを９０°回転してください。」といった文字メッセージを表示させる。ユーザが、そのメッセージに従い出力部１１ｂを９０°回転させてから（Ｓ１２）画面上の「終了」をクリックすると処理を終了する。
【００３５】
以上のように第２実施例によれば、パソコン１２は、走査角度θ０＝±４５°で測定される距離ｌ０ａ，ｌ０ｂから目標距離角度θＡを（３）式により計算し、目標距離角度θＡについてレーザレーダ装置１１により測定される距離ｌ０ｘに、距離ｌ０ａ，ｌ０ｂを等しくするようにユーザに報知する。すなわち、所定角度θ０が４５°の場合、地面に対して距離ｌ０２の走査線がなす角度が目標距離角度θＡであり、レーザビームの走査面を（４５°−θＡ）だけ傾ければ、走査面は走査角±９０度方向について地面と平行になる。この調整は、目標距離角度θＡについて測定された距離ｌ０ｘに、走査角±４５°で測定される距離ｌ０ａ，ｌ０ｂが等しくなるように調整することに等しい。したがって、ユーザに対して具体的な目標値が提示されるので、ユーザは調整をより容易に行うことができる。
【００３６】
また、パソコン１２は、レーザレーダ装置１１におけるレーザビームの走査面を地面２と直角にするようにユーザに対して報知し、ユーザからの作業完了応答があると、レーザレーダ装置１１が走査した測定結果のうち、２点の走査角度θ１，θ２について測定された距離ｌ１，ｌ２に基づいて角度差θｘを算出する。それから、レーザレーダ装置１１の本体１ａを、地面方向に角度差θｘだけ傾けるようにユーザに対して報知し、作業完了応答があると、レーザビームの走査面を９０°回転させるようにユーザに対して報知する。
【００３７】
すなわち、パソコン１２が角度差θｘを計算するので、ユーザ自身が計算を行う必要がない。そして、ディスプレイ１２Ｄに表示されるユーザインターフェイス画面を参照し、報知されるメッセージに従った手順で作業すれば、レーザビームの走査面が地面２と平行なるように簡単に調整できる。また、パソコン１２は、本体１１ａを地面方向に角度差θｘだけ傾けるために、レーザビームの走査角度が、角度θ２と角度差θｘとの差である角度（θ２−θｘ）を示す際に検出される距離が距離ｌ２となるように調整することをユーザに報知する。したがって、ユーザがそのように調整を行えば、走査面が地面２と直角になっている状態で、基準角度におけるレーザビームが地面２と平行になるように調整できる。
【００３８】
本発明は上記し又は図面に記載した実施例に限定されるものではなく、以下のような変形又は拡張が可能である。
地面が水平面より仰角方向に傾斜している場合も同様に、角度差θｘ（符号は負となる）を求めることができる。
レーザビームの角度を調整する場合は、レーザレーダ装置１１の本体１１ａを壁面３に取り付ける角度を調整しても良い。
走査角は、０．５°単位でなくても良い。また、所定角度θ０は４５°に限ることはない。
【００３９】
第２実施例において、θ１，θ２をユーザに選択させることなく、パソコン１２が適切な測定点を自動的に選択して角度差θｘを計算しても良い。
また、第２実施例における図１０（ａ）の指示メッセージは、「出力部を４°（＝θｘ）地面方向に傾けてください。」としても良く、ユーザはその指示に応じて調整を行えばよい。第１実施例についても、同様に調整を行っても良い。
ユーザインターフェイス手段は、パーソナルコンピュータである必要はなく、レーザレーダ装置の専用機器であっても良い。また、ユーザインターフェイス手段がレーザレーダ装置の本体に設けられていても良い。
【符号の説明】
【００４０】
２は地面、３は壁面（接地面）、１１はレーザレーダ装置、１１ａは本体、１１ｂは出力部、１２はパーソナルコンピュータ（ユーザインターフェイス手段）を示す。
【図１】
0005802594.tif 000002
【図２】
0005802594.tif 000003
【図３】
0005802594.tif 000004
【図４】
0005802594.tif 000005
【図５】
0005802594.tif 000006
【図６】
0005802594.tif 000007
【図７】
0005802594.tif 000008
【図８】
0005802594.tif 000009
【図９】
0005802594.tif 000010
【図１０】
0005802594.tif 000011
【図１１】
0005802594.tif 000012
【図１２】
0005802594.tif 000013
【図１３】
0005802594.tif 000014
【図１４】
0005802594.tif 000015